(57)【要約】【課題】基地局の機能をＢＢＵ及びＲＲＵに分割して物理的に離れた構成とするセルラーシステムにおいて、不要信号成分除去部のフィルタリング処理による遅延を低減する。【解決手段】ＲＲＵ側では、不要信号成分除去部は、時間領域上のフィルタリング処理を行なうにあたり、フィルタリング遷移域を増大させ、所要タップ数を低減させ、遅延時間を低減する。すると、不要信号成分除去部は、所望信号成分を一部抑圧させ、無線信号を歪ませる可能性がある。そこで、ＢＢＵからＲＲＵへの下りリンクにおいて、振幅調整部は、周波数領域上の振幅調整処理を行なうにあたり、不要信号成分除去部が一部抑圧する可能性のある所望信号成分を、事前に増大させる。そして、ＲＲＵからＢＢＵへの上りリンクにおいて、振幅調整部は、周波数領域上の振幅調整処理を行なうにあたり、不要信号成分除去部が一部抑圧してしまった所望信号成分を、事後に増大させる。【選択図】図７
2014204218.tif 000002
【特許請求の範囲】
【請求項１】
ベースバンドユニット及びリモートラジオユニットを備える基地局システムであって、
前記リモートラジオユニットは、
前記ベースバンドユニットからの下りリンクについて、
時間領域上のフィルタリング処理を行なうことにより、周波数領域上の所望信号成分を取り出す一方、周波数領域上の不要信号成分を抑圧するにあたり、前記所望信号成分の周波数領域の一部においてフィルタリング遷移域を有する不要信号成分除去部、を備え、
前記ベースバンドユニットは、
前記リモートラジオユニットへの下りリンクについて、
周波数領域上の振幅調整処理を行なうにあたり、前記フィルタリング遷移域における前記所望信号成分の振幅の抑圧を相殺するように、前記フィルタリング遷移域における前記所望信号成分の振幅を調整する振幅調整部、を備える
ことを特徴とする基地局システム。
【請求項２】
前記ベースバンドユニットは、
前記リモートラジオユニットへの下りリンクについて、
前記ベースバンドユニット及び前記リモートラジオユニットの間での通信におけるサンプリング周波数を、前記ベースバンドユニットでのアナログ／デジタル変換におけるサンプリング周波数より低減する圧縮部、をさらに備え、
前記圧縮部は、時間領域上のデシメーション処理を行なうにあたり、前記所望信号成分の周波数領域の一部においてデシメーション遷移域を有し、
前記振幅調整部は、前記フィルタリング遷移域及び前記デシメーション遷移域における前記所望信号成分の振幅の抑圧を相殺するように、前記フィルタリング遷移域及び前記デシメーション遷移域における前記所望信号成分の振幅を調整する
ことを特徴とする請求項１に記載の基地局システム。
【請求項３】
ベースバンドユニット及びリモートラジオユニットを備える基地局システムであって、
前記リモートラジオユニットは、
前記ベースバンドユニットへの上りリンクについて、
時間領域上のフィルタリング処理を行なうことにより、周波数領域上の所望信号成分を取り出す一方、周波数領域上の干渉信号成分を抑圧するにあたり、前記所望信号成分の周波数領域の一部においてフィルタリング遷移域を有する不要信号成分除去部、を備え、
前記ベースバンドユニットは、
前記リモートラジオユニットからの上りリンクについて、
周波数領域上の振幅調整処理を行なうにあたり、前記フィルタリング遷移域における前記所望信号成分の振幅の抑圧を相殺するように、前記フィルタリング遷移域における前記所望信号成分の振幅を調整する振幅調整部、を備える
ことを特徴とする基地局システム。
【請求項４】
前記リモートラジオユニットは、
前記ベースバンドユニットへの上りリンクについて、
前記リモートラジオユニット及び前記ベースバンドユニットの間での通信におけるサンプリング周波数を、前記リモートラジオユニットでのアナログ／デジタル変換におけるサンプリング周波数より低減する圧縮部、をさらに備え、
前記圧縮部は、時間領域上のデシメーション処理を行なうにあたり、前記所望信号成分の周波数領域の一部においてデシメーション遷移域を有し、
前記振幅調整部は、前記フィルタリング遷移域及び前記デシメーション遷移域における前記所望信号成分の振幅の抑圧を相殺するように、前記フィルタリング遷移域及び前記デシメーション遷移域における前記所望信号成分の振幅を調整する
ことを特徴とする請求項３に記載の基地局システム。
【請求項５】
ベースバンドユニット及びリモートラジオユニットを備える基地局システムにおける、前記ベースバンドユニットから前記リモートラジオユニットへの下りリンクに関する基地局通信方法であって、
前記リモートラジオユニットは、時間領域上のフィルタリング処理を行なうことにより、周波数領域上の所望信号成分を取り出す一方、周波数領域上の不要信号成分を抑圧するにあたり、前記所望信号成分の周波数領域の一部においてフィルタリング遷移域を有し、
前記ベースバンドユニットは、周波数領域上の振幅調整処理を行なうにあたり、前記フィルタリング遷移域における前記所望信号成分の振幅の抑圧を相殺するように、前記フィルタリング遷移域における前記所望信号成分の振幅を調整する
ことを特徴とする基地局通信方法。
【請求項６】
前記ベースバンドユニットは、
前記ベースバンドユニット及び前記リモートラジオユニットの間での通信におけるサンプリング周波数を、前記ベースバンドユニットでのアナログ／デジタル変換におけるサンプリング周波数より低減するため、時間領域上のデシメーション処理を行なうにあたり、前記所望信号成分の周波数領域の一部においてデシメーション遷移域を有し、
前記フィルタリング遷移域及び前記デシメーション遷移域における前記所望信号成分の振幅の抑圧を相殺するように、前記フィルタリング遷移域及び前記デシメーション遷移域における前記所望信号成分の振幅を調整する
ことを特徴とする請求項５に記載の基地局通信方法。
【請求項７】
ベースバンドユニット及びリモートラジオユニットを備える基地局システムにおける、前記リモートラジオユニットから前記ベースバンドユニットへの上りリンクに関する基地局通信方法であって、
前記リモートラジオユニットは、時間領域上のフィルタリング処理を行なうことにより、周波数領域上の所望信号成分を取り出す一方、周波数領域上の干渉信号成分を抑圧するにあたり、前記所望信号成分の周波数領域の一部においてフィルタリング遷移域を有し、
前記ベースバンドユニットは、周波数領域上の振幅調整処理を行なうにあたり、前記フィルタリング遷移域における前記所望信号成分の振幅の抑圧を相殺するように、前記フィルタリング遷移域における前記所望信号成分の振幅を調整する
ことを特徴とする基地局通信方法。
【請求項８】
前記リモートラジオユニットは、
前記リモートラジオユニット及び前記ベースバンドユニットの間での通信におけるサンプリング周波数を、前記リモートラジオユニットでのアナログ／デジタル変換におけるサンプリング周波数より低減するため、時間領域上のデシメーション処理を行なうにあたり、前記所望信号成分の周波数領域の一部においてデシメーション遷移域を有し、
前記ベースバンドユニットは、
前記フィルタリング遷移域及び前記デシメーション遷移域における前記所望信号成分の振幅の抑圧を相殺するように、前記フィルタリング遷移域及び前記デシメーション遷移域における前記所望信号成分の振幅を調整する
ことを特徴とする請求項７に記載の基地局通信方法。
【請求項９】
ベースバンドユニット及びリモートラジオユニットを備える基地局システムにおけるベースバンドユニットであって、
前記リモートラジオユニットへの下りリンクについて、
前記リモートラジオユニットにおいて、時間領域上のフィルタリング処理を行なうことにより、周波数領域上の所望信号成分を取り出す一方、周波数領域上の不要信号成分を抑圧するにあたり、前記所望信号成分の周波数領域の一部において有するフィルタリング遷移域について、情報を記憶しているフィルタリング情報記憶部と、
周波数領域上の振幅調整処理を行なうにあたり、前記フィルタリング遷移域における前記所望信号成分の振幅の抑圧を相殺するように、前記フィルタリング遷移域における前記所望信号成分の振幅を調整する振幅調整部と、
を備えることを特徴とするベースバンドユニット。
【請求項１０】
前記リモートラジオユニットへの下りリンクについて、
前記ベースバンドユニットにおいて、前記ベースバンドユニット及び前記リモートラジオユニットの間での通信におけるサンプリング周波数を、前記ベースバンドユニットでのアナログ／デジタル変換におけるサンプリング周波数より低減するため、時間領域上のデシメーション処理を行なうにあたり、前記所望信号成分の周波数領域の一部において有するデシメーション遷移域について、情報を記憶しているデシメーション情報記憶部、
をさらに備え、
前記振幅調整部は、前記フィルタリング遷移域及び前記デシメーション遷移域における前記所望信号成分の振幅の抑圧を相殺するように、前記フィルタリング遷移域及び前記デシメーション遷移域における前記所望信号成分の振幅を調整する
ことを特徴とする請求項９に記載のベースバンドユニット。
【請求項１１】
ベースバンドユニット及びリモートラジオユニットを備える基地局システムにおけるベースバンドユニットであって、
前記リモートラジオユニットからの上りリンクについて、
前記リモートラジオユニットにおいて、時間領域上のフィルタリング処理を行なうことにより、周波数領域上の所望信号成分を取り出す一方、周波数領域上の干渉信号成分を抑圧するにあたり、前記所望信号成分の周波数領域の一部において有するフィルタリング遷移域について、情報を記憶しているフィルタリング情報記憶部と、
周波数領域上の振幅調整処理を行なうにあたり、前記フィルタリング遷移域における前記所望信号成分の振幅の抑圧を相殺するように、前記フィルタリング遷移域における前記所望信号成分の振幅を調整する振幅調整部と、
を備えることを特徴とするベースバンドユニット。
【請求項１２】
前記ベースバンドユニットへの上りリンクについて、
前記リモートラジオユニットにおいて、前記リモートラジオユニット及び前記ベースバンドユニットの間での通信におけるサンプリング周波数を、前記リモートラジオユニットでのアナログ／デジタル変換におけるサンプリング周波数より低減するため、時間領域上のデシメーション処理を行なうにあたり、前記所望信号成分の周波数領域の一部において有するデシメーション遷移域について、情報を記憶しているデシメーション情報記憶部、
をさらに備え、
前記振幅調整部は、前記フィルタリング遷移域及び前記デシメーション遷移域における前記所望信号成分の振幅の抑圧を相殺するように、前記フィルタリング遷移域及び前記デシメーション遷移域における前記所望信号成分の振幅を調整する
ことを特徴とする請求項１１に記載のベースバンドユニット。
【発明の詳細な説明】
【技術分野】
【０００１】
本発明は、セルラーシステムにおいて、セル構成の自由度を向上するため、基地局の機能を信号処理部（ＢＢＵ：Ｂａｓｅ  Ｂａｎｄ  Ｕｎｉｔ）及びＲＦ部（ＲＲＵ：Ｒｅｍｏｔｅ  Ｒａｄｉｏ  Ｕｎｉｔ）に分割して物理的に離れた構成とする技術に関する。
【背景技術】
【０００２】
セルラーシステムにおいて、セル構成の自由度を向上するため、基地局の機能を信号処理部（ＢＢＵ：Ｂａｓｅ  Ｂａｎｄ  Ｕｎｉｔ）及びＲＦ部（ＲＲＵ：Ｒｅｍｏｔｅ  Ｒａｄｉｏ  Ｕｎｉｔ）に分割して物理的に離れた構成とすることが検討されている。
【０００３】
このとき、ＢＢＵ−ＲＲＵ間において、無線信号は、（ＲｏＦ：Ｒａｄｉｏ  ｏｖｅｒ  Ｆｉｂｅｒ）技術により伝送される。ＲｏＦ技術は、伝送方法により、アナログＲｏＦ技術及びデジタルＲｏＦ技術に大別できるが、近年は、伝送品質に優れたデジタルＲｏＦ技術の検討が盛んであり、非特許文献１のＣＰＲＩ（Ｃｏｍｍｏｎ  Ｐｕｂｌｉｃ  Ｒａｄｉｏ  Ｉｎｔｅｒｆａｃｅ）等の標準化団体の下、使用策定が進められている。
【０００４】
ＢＢＵ−ＲＲＵ間の接続媒体として、同軸ケーブルや光ファイバ等が用いられるが、特に光ファイバによって接続することにより、伝送距離を拡大することができる。
【０００５】
一つのＢＢＵが、複数のＲＲＵを収容することもできる。これにより、各ＲＲＵに必要なＢＢＵを一つに集約することができ、運用／設置コストを削減することが可能となる。このような形態の一例として、ＢＢＵ−ＲＲＵ間をＰＯＮ（Ｐａｓｓｉｖｅ  Ｏｐｔｉｃａｌ  Ｎｅｔｗｏｒｋ）システムで接続する形態が提案されている。ＰＯＮの信号多重方法としては、ＴＤＭ（Ｔｉｍｅ  Ｄｉｖｉｓｉｏｎ  Ｍｕｌｔｉｐｌｅｘ）、ＷＤＭ（Ｗａｖｅｌｅｎｇｔｈ  Ｄｉｖｉｓｉｏｎ  Ｍｕｌｔｉｐｌｅｘ）、ＦＤＭ（Ｆｒｅｑｕｅｎｃｙ  Ｄｉｖｉｓｉｏｎ  Ｍｕｌｔｉｐｌｅｘ）等が選択できる。
【０００６】
ＲＲＵが複数のアンテナを備えているときには、一つのＢＢＵが一つのＲＲＵに対して信号を伝送する場合においても、ＢＢＵ−ＲＲＵ間で複数の無線信号が多重されて伝送される。この場合の信号多重方法も、ＴＤＭ、ＷＤＭ、ＦＤＭ等が選択できる。
【０００７】
ところで、セルラーシステムとして、ＬＴＥ（Ｌｏｎｇ  Ｔｅｒｍ  Ｅｖｏｌｕｔｉｏｎ）やＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）等が選択できる。端末がユーザデータを送受信するためには、端末固有の通信チャネル（無線帯域）が必要である。この無線帯域の割り当ては、基地局により行なわれる。ＬＴＥシステムを例に取ると、基地局は、最小１ｍｓ周期でスケジューリングを行ない、各端末へ無線帯域割当を行なう。
【０００８】
無線帯域割当は、リソースブロック（ＲＢ：Ｒｅｓｏｕｒｃｅ  Ｂｌｏｃｋ）単位で行なわれ、１ＲＢは、１８０ｋＨｚの周波数領域及び０．５ｍｓの時間領域で構成される。システム帯域幅が２０ＭＨｚの場合には、周波数軸上に１１０個のＲＢが存在する。１ＲＢの中には、通常のサイクリックプレフィックス（ＣＰ：Ｃｙｃｌｉｃ  Ｐｒｅｆｉｘ）を想定すると、７シンボル（ＣＰを入れて１シンボル７１．４μｓ）が挿入されている。
【０００９】
基地局が端末へ送信する信号には、各端末向けのユーザデータだけでなく、制御情報（スケジューリング情報や、ＡＣＫ／ＮＡＣＫ判定結果等）、端末がチャネル推定を行なうための参照信号（全端末向けに送信されるセル固有参照信号や、個別の端末向けに送信されるＵＥ固有参照信号等）、各端末が基地局と同期を取るための同期信号等がある。
【００１０】
ＣＰＲＩでＬＴＥ信号を伝送する場合を例に取ると、システム帯域幅２０ＭＨｚのシステムに対しては、３０．７２ＭＨｚのサンプリング周波数が用いられる。Ｉ軸及びＱ軸のそれぞれに対するデジタルサンプリングにおいて、上り信号に対しては、４〜２０ビットの量子化ビット数が適用され、下り信号に対しては、８〜２０ビットの量子化ビット数が適用される。後述のフレーム変換部を用いて、フレーム全体の１／１６に制御信号が挿入され、後述のＦＥＣ（Ｆｏｒｗａｒｄ  Ｅｒｒｏｒ  Ｃｏｒｒｅｃｔｉｏｎ）符号化部を用いて、信号が８Ｂ／１０Ｂ符号化された状態で伝送される。
【先行技術文献】
【非特許文献】
【００１１】
【非特許文献１】ＣＰＲＩ，“ＣＰＲＩ  Ｓｐｅｃｉｆｉｃａｔｉｏｎ  Ｖ５．０，”Ｓｅｐ．，２０１１．
【発明の概要】
【発明が解決しようとする課題】
【００１２】
ＢＢＵ−ＲＲＵ間の帯域を有効に利用するため、送信される情報量を削減する処理（圧縮処理）を用いる場合も考えられる。例えば、無線帯域の割当状況によっては、システム帯域幅のうち一部の帯域にしか無線信号が存在しない場合もありえる。
【００１３】
このとき、折り返し信号成分が所望信号成分の信号品質をほとんど劣化しないよう、サンプリング周波数を低減し、送信情報量を削減できる可能性がある。そこで、無線帯域の割当状況に応じて、ＢＢＵ−ＲＲＵ間で用いられるサンプリング周波数を低減するような圧縮処理を行なうことにより、ＢＢＵ−ＲＲＵ間の帯域を有効利用できる。
【００１４】
従来のＢＢＵ及びＲＲＵの構成を、それぞれ図１及び図２に示す。ここで、ＢＢＵにおいて、作成した無線信号のＩ軸及びＱ軸毎のデジタル信号（ＩＱデータ）を光信号に変換して、ＲＲＵへ伝送し、ＲＲＵにおいて、ＢＢＵから受信した光信号を無線信号に変換して、端末へ送信するリンクを、下りリンクと呼ぶ。一方で、ＲＲＵにおいて、端末から受信した無線信号を光信号に変換して、ＢＢＵへ伝送し、ＢＢＵにおいて、ＲＲＵから受信した光信号をＩＱデータに変換して、信号の復調を行なうリンクを、上りリンクと呼ぶ。
【００１５】
まず、下りリンクについて、説明する。ＢＢＵ１では、図１の上側に示したように、ＦＥＣ符号化部１１Ｄは、ユーザデータ及び制御情報に対して、ＦＥＣ符号化を行なう。変調部１２Ｄは、ユーザデータ及び制御情報のビット系列を変調する。マッピング部１３Ｄは、変調部の出力を所定の無線帯域へマッピングする。時間領域変換部１４Ｄは、変調信号を時間領域の信号に変換する。ＣＰ付加部１５Ｄは、ＣＰを付加する。
【００１６】
ここで、変調部１２Ｄは、ＱＰＳＫや１６ＱＡＭ等のシンボルマッピングを行なう。そして、時間領域変換部１４Ｄは、ＩＦＦＴ（Ｉｎｖｅｒｓｅ  Ｆａｓｔ  Ｆｏｕｒｉｅｒ  Ｔｒａｎｓｆｏｒｍ）やＩＤＦＴ（Ｉｎｖｅｒｓｅ  Ｄｉｓｃｒｅｔｅ  Ｆｏｕｒｉｅｒ  Ｔｒａｎｓｆｏｒｍ）処理等を行なう。なお、ＣＰ付加部をＲＲＵ２側に配置して、ＣＰ付加部１５ＤをＢＢＵ１側から取り除くこともできる。
【００１７】
圧縮部（下り）１６Ｄは、ＣＰ付加部１５ＤからのＩＱデータのサンプリング周波数を低減する。フレーム変換部１７Ｄは、圧縮部（下り）１６Ｄの出力信号及びＢＢＵ１−ＲＲＵ２間の制御信号を多重する。Ｅ／Ｏ変換部１８Ｄは、電気信号を光信号に変換して、光ファイバ３を介してＲＲＵ２へと送信する。
【００１８】
圧縮／伸長制御部１９は、無線帯域割当情報及びシステム帯域幅情報に基づいて、ＢＢＵ１−ＲＲＵ２間のサンプリング周波数をいくつに低減するかを決定する。そして、圧縮／伸長制御部１９は、サンプリング周波数の情報を、圧縮部（下り）１６Ｄに通知するとともに、フレーム変換部１７Ｄで他信号と多重し、ＲＲＵ２側へ伝送する。
【００１９】
ＲＲＵ２では、図２の上側に示したように、Ｏ／Ｅ変換部２１Ｄは、ＢＢＵ１から受信した光信号を電気信号に変換する。フレーム変換部２２Ｄは、受信信号からＢＢＵ１−ＲＲＵ２間の制御信号及びＩＱデータを取り出す。伸長部（下り）２３Ｄは、ＢＢＵ１側で変更されたサンプリング周波数を元の値に戻す。不要信号成分除去部（下り）２４Ｄは、ＩＱデータに対して折り返し信号成分を抑圧するためのフィルタリング処理を行なう。
【００２０】
Ｄ／Ａ変換部２５Ｄは、ＩＱデータをアナログ信号に変換する。アップコンバート部２６Ｄは、アナログ信号をアップコンバートする。増幅器２７Ｄは、信号電力を決められた送信電力まで増幅する。送受切替部２８は、送信側にスイッチを切り替える。アンテナ２９は、無線信号の送信を行なう。なお、上述したように、不要信号成分除去部（下り）２４Ｄの後段に、ＣＰを付加するＣＰ付加部を配置してもよい。また、送受切替部２８は、ＦＤＤ（Ｆｒｅｑｕｅｎｃｙ  Ｄｉｖｉｓｉｏｎ  Ｄｕｐｌｅｘ）やＴＤＤ（Ｔｉｍｅ  Ｄｉｖｉｓｉｏｎ  Ｄｕｐｌｅｘ）のどちらにも対応できる。
【００２１】
伸長情報（下り）抽出部３０Ｄは、ＢＢＵ１から受信した信号の中から、フレーム変換部２２Ｄを用いて、伸長部（下り）２３Ｄ及び不要信号成分除去部（下り）２４Ｄに必要なパラメータである、ＢＢＵ１−ＲＲＵ２間のサンプリング周波数の情報を取り出す。
【００２２】
次に、上りリンクについて、説明する。ＲＲＵ２では、図２の下側に示したように、アンテナ２９は、無線信号の受信を行なう。送受切替部２８は、受信側にスイッチを切り替える。増幅器２１Ｕは、受信した無線信号の信号電力を、信号処理ができるレベルまで増幅する。ダウンコンバート部２２Ｕは、無線信号をダウンコンバートする。Ａ／Ｄ変換部２３Ｕは、ダウンコンバートされたアナログ信号をＩＱデータに変換する。なお、送受切替部２８は、ＦＤＤやＴＤＤのどちらにも対応できる。また、後述するように、Ａ／Ｄ変換部２３Ｕの後段に、ＣＰを除去するＣＰ除去部を配置してもよい。
【００２３】
不要信号成分除去部（上り）２４Ｕは、ＩＱデータに対して他セルからの干渉信号を抑圧するためのフィルタリング処理を行なう。圧縮部（上り）２５Ｕは、不要信号成分除去部（上り）２４ＵからのＩＱデータのサンプリング周波数を低減する。フレーム変換部２６Ｕは、ＩＱデータ及びＢＢＵ１−ＲＲＵ２間の制御信号を多重する。Ｅ／Ｏ変換部２７Ｕは、電気信号を光信号に変換して、光ファイバ３を介してＢＢＵ１へと送信する。
【００２４】
圧縮情報（上り）抽出部３０Ｕは、ＢＢＵ１から受信した信号の中から、フレーム変換部２２Ｄを用いて、圧縮部（上り）２５Ｕ及び不要信号成分除去部（上り）２４Ｕに必要なパラメータである、ＢＢＵ１−ＲＲＵ２間のサンプリング周波数の情報を取り出す。
【００２５】
ＢＢＵ１では、図１の下側に示したように、Ｏ／Ｅ変換部１１Ｕは、ＲＲＵ２から受信した光信号を電気信号に変換する。フレーム変換部１２Ｕは、受信信号からＢＢＵ１−ＲＲＵ２間の制御信号及びＩＱデータを取り出す。伸長部（上り）１３Ｕは、ＲＲＵ２側で変換されたサンプリング周波数を元の値に戻す。
【００２６】
ＣＰ除去部１４Ｕは、ＣＰを除去する。周波数領域変換部１５Ｕは、ＣＰ除去部１４Ｕの出力信号を周波数領域の信号に変換する。デマッピング部１６Ｕは、周波数領域に変換された信号に対して、所定の無線帯域から信号を取り出す。復調部１７Ｕは、デマッピングされた信号に対して、復調を行なう。ＦＥＣ復号化部１８Ｕは、復調された信号に対して、ＦＥＣ復号化を行ない、ユーザデータ及び制御情報を取り出す。
【００２７】
ここで、周波数領域変換部１５Ｕは、ＦＦＴ（Ｆａｓｔ  Ｆｏｕｒｉｅｒ  Ｔｒａｎｓｆｏｒｍ）やＤＦＴ（Ｄｉｓｃｒｅｔｅ  Ｆｏｕｒｉｅｒ  Ｔｒａｎｓｆｏｒｍ）処理等を行なう。そして、復調部１７Ｕは、変調されたＱＰＳＫや１６ＱＡＭ等のシンボルに対して、硬判定／軟判定を行なう。なお、ＣＰ除去部をＲＲＵ２側に配置して、ＣＰ除去部１４ＵをＢＢＵ１側から取り除くこともできる。
【００２８】
圧縮／伸長制御部１９は、無線帯域割当情報及びシステム帯域幅情報に基づいて、ＢＢＵ１−ＲＲＵ２間のサンプリング周波数をいくつに低減するかを決定する。そして、圧縮／伸長制御部１９は、サンプリング周波数の情報を、伸長部（上り）１３Ｕに通知するとともに、フレーム変換部１７Ｄで他信号と多重し、ＲＲＵ２側へ伝送する。
【００２９】
従来の時間領域上及び周波数領域上の不要信号成分除去部の構成を、それぞれ図３及び図４に示す。図３の構成では、時間領域上のフィルタリング処理を行ない、図４の構成では、周波数領域上のフィルタリング処理を行なう。いずれの構成でも、圧縮情報または伸長情報に基づいて、フィルタ係数を決定するフィルタ係数決定部を有する。
【００３０】
図３の構成では、タップ数２ｐ＋１が増大すると、遅延時間が増大する。そして、所要タップ数は、遷移域の低減や阻止域の電力減衰量の増大等により、増加する。
【００３１】
図４の構成では、タップ数Ｎが増大すると、遅延時間が増大する。しかし、所要タップ数は、遷移域の低減や阻止域の電力減衰量の増大等とは、無関係である。
【００３２】
従来の下りリンクの処理を図５に示す。ＢＢＵ１側のＡ／Ｄ変換部（不図示）のサンプリング周波数はｆｓであり、ＢＢＵ１側の圧縮部（下り）１６Ｄのサンプリング周波数はｆｓ／２であり、ＲＲＵ２側での伸長部（下り）２３Ｄのサンプリング周波数はｆｓである。ＢＢＵ１−ＲＲＵ２間では、それ以外の区間より、送信情報量が１／２となる。
【００３３】
ＢＢＵ１側のマッピング部１３Ｄでのマッピング後は、所望信号成分が、−３ｆｓ／１６≦ｆ≦３ｆｓ／１６において、一様な重みで周波数軸上に分布する。
【００３４】
ＲＲＵ２側の伸長部（下り）２３Ｄでの伸長後は、所望信号成分が、−３ｆｓ／１６≦ｆ≦３ｆｓ／１６において、一様な重みで周波数軸上に分布するとともに、ＢＢＵ１側の圧縮部（下り）１６Ｄによる所望信号成分に対する折り返し信号成分が、−ｆｓ／２≦ｆ≦−５ｆｓ／１６、５ｆｓ／１６≦ｆ≦ｆｓ／２において、周波数軸上に分布する。
【００３５】
ＲＲＵ２側の不要信号成分除去部（下り）２４Ｄは、フィルタリング処理において、−３ｆｓ／１６≦ｆ≦３ｆｓ／１６において、通過域を有し、−ｆｓ／４≦ｆ≦−３ｆｓ／１６、３ｆｓ／１６≦ｆ≦ｆｓ／４において、遷移域を有し、それら以外の区間において、阻止域を有する。ＲＲＵ２での不要信号成分除去後は、所望信号成分が、−３ｆｓ／１６≦ｆ≦３ｆｓ／１６において、一様な重みで周波数軸上に分布する。
【００３６】
従来の上りリンクの処理を図６に示す。ＲＲＵ２側のＡ／Ｄ変換部２３Ｕのサンプリング周波数はｆｓであり、ＲＲＵ２側の圧縮部（上り）２５Ｕのサンプリング周波数はｆｓ／２であり、ＢＢＵ１側での伸長部（上り）１３Ｕのサンプリング周波数はｆｓである。ＢＢＵ１−ＲＲＵ２間では、それ以外の区間より、送信情報量が１／２となる。
【００３７】
ＲＲＵ２側のＡ／Ｄ変換部２３ＵでのＡ／Ｄ変換後は、所望信号成分が、−３ｆｓ／１６≦ｆ≦３ｆｓ／１６において、一様な重みで周波数軸上に分布するとともに、他セルからの干渉信号成分が、−ｆｓ／２≦ｆ≦−３ｆｓ／８、５ｆｓ／１６≦ｆ≦ｆｓ／２において、所望信号成分より弱いながらも、周波数軸上に分布する。
【００３８】
ＲＲＵ２側の不要信号成分除去部（上り）２４Ｕは、フィルタリング処理において、−３ｆｓ／１６≦ｆ≦３ｆｓ／１６において、通過域を有し、−ｆｓ／４≦ｆ≦−３ｆｓ／１６、３ｆｓ／１６≦ｆ≦ｆｓ／４において、遷移域を有し、それら以外の区間において、阻止域を有する。ＲＲＵ２での不要信号成分除去後は、所望信号成分が、−３ｆｓ／１６≦ｆ≦３ｆｓ／１６において、一様な重みで周波数軸上に分布する。
【００３９】
ＢＢＵ１側の伸長部（上り）１３Ｕでの伸長後は、所望信号成分が、−３ｆｓ／１６≦ｆ≦３ｆｓ／１６において、一様な重みで周波数軸上に分布するとともに、ＲＲＵ２側の圧縮部（上り）２５Ｕによる所望信号成分に対する折り返し信号成分が、−ｆｓ／２≦ｆ≦−５ｆｓ／１６、５ｆｓ／１６≦ｆ≦ｆｓ／２において、周波数軸上に分布する。ＢＢＵ１側のデマッピング部１６Ｕでのデマッピング後は、折り返し信号成分は除去される。
【００４０】
ところで、不要信号成分除去部のフィルタリング処理による遅延が増大すると、ＢＢＵ１−ＲＲＵ２間で許容される光ファイバ長が低下するという問題がある。
【００４１】
そこで、前記課題を解決するために、本発明は、基地局の機能をＢＢＵ及びＲＲＵに分割して物理的に離れた構成とするセルラーシステムにおいて、不要信号成分除去部のフィルタリング処理による遅延を低減することを目的とする。
【課題を解決するための手段】
【００４２】
上記目的を達成するために、不要信号成分除去部は、図３に示したような時間領域上のフィルタリング処理を行なうにあたり、フィルタリング遷移域を従来より増大させ、所要タップ数を従来より低減させ、遅延時間を従来より低減する。ここで、不要信号成分除去部は、フィルタリング阻止域を従来通り固定したまま、フィルタリング遷移域を従来より増大させると、所望信号成分を一部抑圧させ、無線信号を歪ませる可能性がある。
【００４３】
そこで、ＢＢＵからＲＲＵへの下りリンクにおいて、ＢＢＵ側の振幅調整部は、図４に示したような周波数領域上の振幅調整処理を行なうにあたり、ＲＲＵ側の不要信号成分除去部が一部抑圧する可能性のある所望信号成分を、事前に増大させる。
【００４４】
ここで、ＢＢＵ側の振幅調整部は、各周波数成分に対して１タップの重みを乗算するのみであるため、ここで発生する遅延時間を１クロック程度に抑える。一方で、ＲＲＵ側の不要信号成分除去部で、所要タップ数を従来より少なくとも１タップ以上低減させれば、ＢＢＵ及びＲＲＵを併せて、遅延時間を従来より抑えることができる。
【００４５】
具体的には、本発明は、ベースバンドユニット及びリモートラジオユニットを備える基地局システムであって、前記リモートラジオユニットは、前記ベースバンドユニットからの下りリンクについて、時間領域上のフィルタリング処理を行なうことにより、周波数領域上の所望信号成分を取り出す一方、周波数領域上の不要信号成分を抑圧するにあたり、前記所望信号成分の周波数領域の一部においてフィルタリング遷移域を有する不要信号成分除去部、を備え、前記ベースバンドユニットは、前記リモートラジオユニットへの下りリンクについて、周波数領域上の振幅調整処理を行なうにあたり、前記フィルタリング遷移域における前記所望信号成分の振幅の抑圧を相殺するように、前記フィルタリング遷移域における前記所望信号成分の振幅を調整する振幅調整部、を備えることを特徴とする基地局システムである。
【００４６】
また、本発明は、ベースバンドユニット及びリモートラジオユニットを備える基地局システムにおける、前記ベースバンドユニットから前記リモートラジオユニットへの下りリンクに関する基地局通信方法であって、前記リモートラジオユニットは、時間領域上のフィルタリング処理を行なうことにより、周波数領域上の所望信号成分を取り出す一方、周波数領域上の不要信号成分を抑圧するにあたり、前記所望信号成分の周波数領域の一部においてフィルタリング遷移域を有し、前記ベースバンドユニットは、周波数領域上の振幅調整処理を行なうにあたり、前記フィルタリング遷移域における前記所望信号成分の振幅の抑圧を相殺するように、前記フィルタリング遷移域における前記所望信号成分の振幅を調整することを特徴とする基地局通信方法である。
【００４７】
また、本発明は、ベースバンドユニット及びリモートラジオユニットを備える基地局システムにおけるベースバンドユニットであって、前記リモートラジオユニットへの下りリンクについて、前記リモートラジオユニットにおいて、時間領域上のフィルタリング処理を行なうことにより、周波数領域上の所望信号成分を取り出す一方、周波数領域上の不要信号成分を抑圧するにあたり、前記所望信号成分の周波数領域の一部において有するフィルタリング遷移域について、情報を記憶しているフィルタリング情報記憶部と、周波数領域上の振幅調整処理を行なうにあたり、前記フィルタリング遷移域における前記所望信号成分の振幅の抑圧を相殺するように、前記フィルタリング遷移域における前記所望信号成分の振幅を調整する振幅調整部と、を備えることを特徴とするベースバンドユニットである。
【００４８】
この構成によれば、ＢＢＵからＲＲＵへの下りリンクにおいて、不要信号成分除去部のフィルタリング処理による遅延を低減することができる。よって、ＢＢＵ−ＲＲＵ間で許容される光ファイバ長を増大させることができる。
【００４９】
上記目的を達成するために、不要信号成分除去部は、図３に示したような時間領域上のフィルタリング処理を行なうにあたり、フィルタリング遷移域を従来より増大させ、所要タップ数を従来より低減させ、遅延時間を従来より低減する。ここで、不要信号成分除去部は、フィルタリング阻止域を従来通り固定したまま、フィルタリング遷移域を従来より増大させると、所望信号成分を一部抑圧させ、無線信号を歪ませる可能性がある。
【００５０】
そこで、ＲＲＵからＢＢＵへの上りリンクにおいて、ＢＢＵ側の振幅調整部は、図４に示したような周波数領域上の振幅調整処理を行なうにあたり、ＲＲＵ側の不要信号成分除去部が一部抑圧してしまった所望信号成分を、事後に増大させる。
【００５１】
ここで、ＢＢＵ側の振幅調整部は、各周波数成分に対して１タップの重みを乗算するのみであるため、ここで発生する遅延時間を１クロック程度に抑える。一方で、ＲＲＵ側の不要信号成分除去部で、所要タップ数を従来より少なくとも１タップ以上低減させれば、ＢＢＵ及びＲＲＵを併せて、遅延時間を従来より抑えることができる。
【００５２】
具体的には、本発明は、ベースバンドユニット及びリモートラジオユニットを備える基地局システムであって、前記リモートラジオユニットは、前記ベースバンドユニットへの上りリンクについて、時間領域上のフィルタリング処理を行なうことにより、周波数領域上の所望信号成分を取り出す一方、周波数領域上の干渉信号成分を抑圧するにあたり、前記所望信号成分の周波数領域の一部においてフィルタリング遷移域を有する不要信号成分除去部、を備え、前記ベースバンドユニットは、前記リモートラジオユニットからの上りリンクについて、周波数領域上の振幅調整処理を行なうにあたり、前記フィルタリング遷移域における前記所望信号成分の振幅の抑圧を相殺するように、前記フィルタリング遷移域における前記所望信号成分の振幅を調整する振幅調整部、を備えることを特徴とする基地局システムである。
【００５３】
また、本発明は、ベースバンドユニット及びリモートラジオユニットを備える基地局システムにおける、前記リモートラジオユニットから前記ベースバンドユニットへの上りリンクに関する基地局通信方法であって、前記リモートラジオユニットは、時間領域上のフィルタリング処理を行なうことにより、周波数領域上の所望信号成分を取り出す一方、周波数領域上の干渉信号成分を抑圧するにあたり、前記所望信号成分の周波数領域の一部においてフィルタリング遷移域を有し、前記ベースバンドユニットは、周波数領域上の振幅調整処理を行なうにあたり、前記フィルタリング遷移域における前記所望信号成分の振幅の抑圧を相殺するように、前記フィルタリング遷移域における前記所望信号成分の振幅を調整することを特徴とする基地局通信方法である。
【００５４】
また、本発明は、ベースバンドユニット及びリモートラジオユニットを備える基地局システムにおけるベースバンドユニットであって、前記リモートラジオユニットからの上りリンクについて、前記リモートラジオユニットにおいて、時間領域上のフィルタリング処理を行なうことにより、周波数領域上の所望信号成分を取り出す一方、周波数領域上の干渉信号成分を抑圧するにあたり、前記所望信号成分の周波数領域の一部において有するフィルタリング遷移域について、情報を記憶しているフィルタリング情報記憶部と、周波数領域上の振幅調整処理を行なうにあたり、前記フィルタリング遷移域における前記所望信号成分の振幅の抑圧を相殺するように、前記フィルタリング遷移域における前記所望信号成分の振幅を調整する振幅調整部と、を備えることを特徴とするベースバンドユニットである。
【００５５】
この構成によれば、ＲＲＵからＢＢＵへの上りリンクにおいて、不要信号成分除去部のフィルタリング処理による遅延を低減することができる。よって、ＢＢＵ−ＲＲＵ間で許容される光ファイバ長を増大させることができる。
【００５６】
また、本発明は、前記ベースバンドユニットは、前記リモートラジオユニットへの下りリンクについて、前記ベースバンドユニット及び前記リモートラジオユニットの間での通信におけるサンプリング周波数を、前記ベースバンドユニットでのアナログ／デジタル変換におけるサンプリング周波数より低減する圧縮部、をさらに備え、前記圧縮部は、時間領域上のデシメーション処理を行なうにあたり、前記所望信号成分の周波数領域の一部においてデシメーション遷移域を有し、前記振幅調整部は、前記フィルタリング遷移域及び前記デシメーション遷移域における前記所望信号成分の振幅の抑圧を相殺するように、前記フィルタリング遷移域及び前記デシメーション遷移域における前記所望信号成分の振幅を調整することを特徴とする基地局システムである。
【００５７】
また、本発明は、前記ベースバンドユニットは、前記ベースバンドユニット及び前記リモートラジオユニットの間での通信におけるサンプリング周波数を、前記ベースバンドユニットでのアナログ／デジタル変換におけるサンプリング周波数より低減するため、時間領域上のデシメーション処理を行なうにあたり、前記所望信号成分の周波数領域の一部においてデシメーション遷移域を有し、前記フィルタリング遷移域及び前記デシメーション遷移域における前記所望信号成分の振幅の抑圧を相殺するように、前記フィルタリング遷移域及び前記デシメーション遷移域における前記所望信号成分の振幅を調整することを特徴とする基地局通信方法である。
【００５８】
また、本発明は、前記リモートラジオユニットへの下りリンクについて、前記ベースバンドユニットにおいて、前記ベースバンドユニット及び前記リモートラジオユニットの間での通信におけるサンプリング周波数を、前記ベースバンドユニットでのアナログ／デジタル変換におけるサンプリング周波数より低減するため、時間領域上のデシメーション処理を行なうにあたり、前記所望信号成分の周波数領域の一部において有するデシメーション遷移域について、情報を記憶しているデシメーション情報記憶部、をさらに備え、前記振幅調整部は、前記フィルタリング遷移域及び前記デシメーション遷移域における前記所望信号成分の振幅の抑圧を相殺するように、前記フィルタリング遷移域及び前記デシメーション遷移域における前記所望信号成分の振幅を調整することを特徴とするベースバンドユニットである。
【００５９】
圧縮部は、サンプリング周波数を低減させるにあたり、折り返し信号成分が所望信号成分に与える影響を低減するため、帯域制限処理を行ないながらデータを一定間隔で間引くデシメーション処理を行なうことがある。この構成によれば、ＢＢＵからＲＲＵへの下りリンクにおいて、不要信号成分除去部のフィルタリング処理による遅延及び圧縮部のデシメーション処理による遅延を、同様にして低減することができる。よって、ＢＢＵ−ＲＲＵ間で許容される光ファイバ長を増大させることができる。
【００６０】
また、本発明は、前記リモートラジオユニットは、前記ベースバンドユニットへの上りリンクについて、前記リモートラジオユニット及び前記ベースバンドユニットの間での通信におけるサンプリング周波数を、前記リモートラジオユニットでのアナログ／デジタル変換におけるサンプリング周波数より低減する圧縮部、をさらに備え、前記圧縮部は、時間領域上のデシメーション処理を行なうにあたり、前記所望信号成分の周波数領域の一部においてデシメーション遷移域を有し、前記振幅調整部は、前記フィルタリング遷移域及び前記デシメーション遷移域における前記所望信号成分の振幅の抑圧を相殺するように、前記フィルタリング遷移域及び前記デシメーション遷移域における前記所望信号成分の振幅を調整することを特徴とする基地局システムである。
【００６１】
また、本発明は、前記リモートラジオユニットは、前記リモートラジオユニット及び前記ベースバンドユニットの間での通信におけるサンプリング周波数を、前記リモートラジオユニットでのアナログ／デジタル変換におけるサンプリング周波数より低減するため、時間領域上のデシメーション処理を行なうにあたり、前記所望信号成分の周波数領域の一部においてデシメーション遷移域を有し、前記ベースバンドユニットは、前記フィルタリング遷移域及び前記デシメーション遷移域における前記所望信号成分の振幅の抑圧を相殺するように、前記フィルタリング遷移域及び前記デシメーション遷移域における前記所望信号成分の振幅を調整することを特徴とする基地局通信方法である。
【００６２】
また、本発明は、前記ベースバンドユニットへの上りリンクについて、前記リモートラジオユニットにおいて、前記リモートラジオユニット及び前記ベースバンドユニットの間での通信におけるサンプリング周波数を、前記リモートラジオユニットでのアナログ／デジタル変換におけるサンプリング周波数より低減するため、時間領域上のデシメーション処理を行なうにあたり、前記所望信号成分の周波数領域の一部において有するデシメーション遷移域について、情報を記憶しているデシメーション情報記憶部、をさらに備え、前記振幅調整部は、前記フィルタリング遷移域及び前記デシメーション遷移域における前記所望信号成分の振幅の抑圧を相殺するように、前記フィルタリング遷移域及び前記デシメーション遷移域における前記所望信号成分の振幅を調整することを特徴とするベースバンドユニットである。
【００６３】
圧縮部は、サンプリング周波数を低減させるにあたり、折り返し信号成分が所望信号成分に与える影響を低減するため、帯域制限処理を行ないながらデータを一定間隔で間引くデシメーション処理を行なうことがある。この構成によれば、ＲＲＵからＢＢＵへの上りリンクにおいて、不要信号成分除去部のフィルタリング処理による遅延及び圧縮部のデシメーション処理による遅延を、同様にして低減することができる。よって、ＢＢＵ−ＲＲＵ間で許容される光ファイバ長を増大させることができる。
【発明の効果】
【００６４】
本発明は、基地局の機能をＢＢＵ及びＲＲＵに分割して物理的に離れた構成とするセルラーシステムにおいて、不要信号成分除去部のフィルタリング処理による遅延を低減することができる。
【図面の簡単な説明】
【００６５】
【図１】従来のＢＢＵの構成を示す図である。
【図２】従来及び本願のＲＲＵの構成を示す図である。
【図３】従来及び本願の時間領域上の不要信号成分除去部の構成を示す図である。
【図４】従来及び本願の周波数領域上の不要信号成分除去部の構成を示す図である。
【図５】従来の下りリンクの処理を示す図である。
【図６】従来の上りリンクの処理を示す図である。
【図７】本願のＢＢＵの構成を示す図である。
【図８】実施形態１の下りリンクの処理を示す図である。
【図９】実施形態２の上りリンクの処理を示す図である。
【図１０】実施形態３の下りリンクの処理を示す図である。
【図１１】実施形態３の下りリンクの処理を示す図である。
【図１２】実施形態４の上りリンクの処理を示す図である。
【図１３】実施形態４の上りリンクの処理を示す図である。
【発明を実施するための形態】
【００６６】
添付の図面を参照して本発明の実施形態を説明する。以下に説明する実施形態は本発明の実施の例であり、本発明は以下の実施形態に制限されるものではない。なお、本明細書及び図面において符号が同じ構成要素は、相互に同一のものを示すものとする。
【００６７】
（実施形態１）
実施形態１では、ＢＢＵ１からＲＲＵ２への下りリンクについて、不要信号成分除去部（下り）２４Ｄのフィルタリング処理による遅延を低減する。
【００６８】
実施形態１のＢＢＵの構成を図７に示す。実施形態１のＲＲＵの構成ブロックは、従来のＲＲＵの構成ブロックと同様であり、図２に示されている。以下では、実施形態１のＢＢＵ１及びＲＲＵ２が、従来のＢＢＵ１及びＲＲＵ２と異なる点について、説明する。
【００６９】
不要信号成分除去部（下り）２４Ｄは、時間領域上のフィルタリング処理を行なうことにより、周波数領域上の所望信号成分を取り出す一方、周波数領域上の不要信号成分を抑圧するにあたり、所望信号成分の周波数領域の一部においてフィルタリング遷移域を有する。不要信号成分除去部（下り）２４Ｄは、時間領域上の処理として、図３に示したような処理を行なう。
【００７０】
振幅調整部（下り）２０Ｄは、周波数領域上の振幅調整処理を行なうにあたり、フィルタリング遷移域における所望信号成分の振幅の抑圧を相殺するように、フィルタリング遷移域における所望信号成分の振幅を調整する。振幅調整部（下り）２０Ｄは、周波数領域上の処理として、図４に示したような処理を行なう。振幅調整部（下り）２０Ｄは、フィルタリング遷移域について、情報を記憶している情報記憶部（不図示）を有していてもよい。不要信号成分の周波数軸上分布の時間変化に応じて、フィルタリング遷移域及び振幅調整幅も時間変化させてもよい。
【００７１】
実施形態１の下りリンクの処理を図８に示す。ＢＢＵ１側のＡ／Ｄ変換部（不図示）のサンプリング周波数はｆｓであり、ＢＢＵ１側の圧縮部（下り）１６Ｄのサンプリング周波数はｆｓ／２であり、ＲＲＵ２側での伸長部（下り）２３Ｄのサンプリング周波数はｆｓである。ＢＢＵ１−ＲＲＵ２間では、それ以外の区間より、送信情報量が１／２となる。
【００７２】
ＢＢＵ１側のマッピング部１３Ｄでのマッピング後は、所望信号成分が、−３ｆｓ／１６≦ｆ≦３ｆｓ／１６において、一様な重みで周波数軸上に分布する。
【００７３】
ＲＲＵ２側の不要信号成分除去部（下り）２４Ｄは、フィルタリング処理において、−ｆｓ／８≦ｆ≦ｆｓ／８において、通過域を有し、−ｆｓ／４≦ｆ≦−ｆｓ／８、ｆｓ／８≦ｆ≦ｆｓ／４において、遷移域を有し、それら以外の区間において、阻止域を有する。
【００７４】
つまり、所望信号成分は、−ｆｓ／８≦ｆ≦ｆｓ／８において、フィルタリング処理の通過域に属するが、−３ｆｓ／１６≦ｆ≦−ｆｓ／８、ｆｓ／８≦ｆ≦３ｆｓ／１６において、フィルタリング処理の遷移域に属する。ここで、ＲＲＵ２側の不要信号成分除去部（下り）２４Ｄは、フィルタリング処理の遷移域のうち、−３ｆｓ／１６≦ｆ≦−ｆｓ／８、ｆｓ／８≦ｆ≦３ｆｓ／１６において、電気信号をＡ倍（Ａ＜１）に抑圧すると仮定する。
【００７５】
ＢＢＵ１側の振幅調整部（下り）２０Ｄでの振幅調整後は、所望信号成分が、−ｆｓ／８≦ｆ≦ｆｓ／８において、そのままであるのに対して、−３ｆｓ／１６≦ｆ≦−ｆｓ／８、ｆｓ／８≦ｆ≦３ｆｓ／１６において、１／Ａ倍（１／Ａ＞１）に増大される。
【００７６】
ＲＲＵ２側の伸長部（下り）２３Ｄでの伸長後は、所望信号成分が、−３ｆｓ／１６≦ｆ≦−ｆｓ／８、ｆｓ／８≦ｆ≦３ｆｓ／１６において、−ｆｓ／８≦ｆ≦ｆｓ／８と比べて、１／Ａ倍（１／Ａ＞１）に増大されたままであるとともに、ＢＢＵ１側の圧縮部（下り）１６Ｄによる所望信号成分に対する折り返し信号成分が、−ｆｓ／２≦ｆ≦−５ｆｓ／１６、５ｆｓ／１６≦ｆ≦ｆｓ／２において、周波数軸上に分布する。
【００７７】
ＲＲＵ２側の不要信号成分除去部（下り）２４Ｄでの不要信号成分除去後は、所望信号成分が、−ｆｓ／８≦ｆ≦ｆｓ／８において、そのままであるのに対して、−３ｆｓ／１６≦ｆ≦−ｆｓ／８、ｆｓ／８≦ｆ≦３ｆｓ／１６において、Ａ倍（Ａ＜１）に抑圧される。
【００７８】
つまり、ＲＲＵ２での不要信号成分除去後は、所望信号成分が、−３ｆｓ／１６≦ｆ≦３ｆｓ／１６において、一様な重みで周波数軸上に分布する。そして、ＲＲＵ２での不要信号成分除去後において、ＢＢＵ１でのマッピング後と比べて、所望信号成分の周波数分布は元の通りに戻っている。このように、フィルタリング遷移域での所望信号成分について、不要信号成分除去部（下り）２４Ｄでの振幅の抑圧（Ａ倍）と、振幅調整部（下り）２０Ｄでの振幅の増大（１／Ａ倍）が、Ａ×１／Ａ＝１で示すように相殺されている。
【００７９】
（実施形態２）
実施形態２では、ＲＲＵ２からＢＢＵ１への上りリンクについて、不要信号成分除去部（上り）２４Ｕのフィルタリング処理による遅延を低減する。
【００８０】
実施形態２のＢＢＵの構成を図７に示す。実施形態２のＲＲＵの構成ブロックは、従来のＲＲＵの構成ブロックと同様であり、図２に示されている。以下では、実施形態２のＢＢＵ１及びＲＲＵ２が、従来のＢＢＵ１及びＲＲＵ２と異なる点について、説明する。
【００８１】
不要信号成分除去部（上り）２４Ｕは、時間領域上のフィルタリング処理を行なうことにより、周波数領域上の所望信号成分を取り出す一方、周波数領域上の干渉信号成分を抑圧するにあたり、所望信号成分の周波数領域の一部においてフィルタリング遷移域を有する。不要信号成分除去部（上り）２４Ｕは、時間領域上の処理として、図３に示したような処理を行なう。
【００８２】
振幅調整部（上り）２０Ｕは、周波数領域上の振幅調整処理を行なうにあたり、フィルタリング遷移域における所望信号成分の振幅の抑圧を相殺するように、フィルタリング遷移域における所望信号成分の振幅を調整する。振幅調整部（上り）２０Ｕは、周波数領域上の処理として、図４に示したような処理を行なう。振幅調整部（上り）２０Ｕは、フィルタリング遷移域について、情報を記憶している情報記憶部（不図示）を有していてもよい。干渉信号成分の周波数軸上分布の時間変化に応じて、フィルタリング遷移域及び振幅調整幅も時間変化させてもよい。
【００８３】
実施形態２の上りリンクの処理を図９に示す。ＲＲＵ２側のＡ／Ｄ変換部２３Ｕのサンプリング周波数はｆｓであり、ＲＲＵ２側の圧縮部（上り）２５Ｕのサンプリング周波数はｆｓ／２であり、ＢＢＵ１側での伸長部（上り）１３Ｕのサンプリング周波数はｆｓである。ＢＢＵ１−ＲＲＵ２間では、それ以外の区間より、送信情報量が１／２となる。
【００８４】
ＲＲＵ２側のＡ／Ｄ変換部２３ＵでのＡ／Ｄ変換後は、所望信号成分が、−３ｆｓ／１６≦ｆ≦３ｆｓ／１６において、一様な重みで周波数軸上に分布するとともに、他セルからの干渉信号成分が、−ｆｓ／２≦ｆ≦−３ｆｓ／８、５ｆｓ／１６≦ｆ≦ｆｓ／２において、所望信号成分より弱いながらも、周波数軸上に分布する。
【００８５】
ＲＲＵ２側の不要信号成分除去部（上り）２４Ｕは、フィルタリング処理において、−ｆｓ／８≦ｆ≦ｆｓ／８において、通過域を有し、−ｆｓ／４≦ｆ≦−ｆｓ／８、ｆｓ／８≦ｆ≦ｆｓ／４において、遷移域を有し、それら以外の区間において、阻止域を有する。
【００８６】
つまり、所望信号成分は、−ｆｓ／８≦ｆ≦ｆｓ／８において、フィルタリング処理の通過域に属するが、−３ｆｓ／１６≦ｆ≦−ｆｓ／８、ｆｓ／８≦ｆ≦３ｆｓ／１６において、フィルタリング処理の遷移域に属する。ここで、ＲＲＵ２側の不要信号成分除去部（上り）２４Ｕは、フィルタリング処理の遷移域のうち、−３ｆｓ／１６≦ｆ≦−ｆｓ／８、ｆｓ／８≦ｆ≦３ｆｓ／１６において、電気信号をＡ倍（Ａ＜１）に抑圧すると仮定する。
【００８７】
ＲＲＵ２側の不要信号成分除去部（上り）２４Ｕでの不要信号成分除去後は、所望信号成分が、−ｆｓ／８≦ｆ≦ｆｓ／８において、そのままであるのに対して、−３ｆｓ／１６≦ｆ≦−ｆｓ／８、ｆｓ／８≦ｆ≦３ｆｓ／１６において、Ａ倍（Ａ＜１）に抑圧される。
【００８８】
ＢＢＵ１側の伸長部（上り）１３Ｕでの伸長後は、所望信号成分が、−３ｆｓ／１６≦ｆ≦−ｆｓ／８、ｆｓ／８≦ｆ≦３ｆｓ／１６において、−ｆｓ／８≦ｆ≦ｆｓ／８と比べて、Ａ倍（Ａ＜１）に抑圧されたままであるとともに、ＲＲＵ２側の圧縮部（上り）２５Ｕによる所望信号成分に対する折り返し信号成分が、−ｆｓ／２≦ｆ≦−５ｆｓ／１６、５ｆｓ／１６≦ｆ≦ｆｓ／２において、周波数軸上に分布する。
【００８９】
ＢＢＵ１側の振幅調整部（上り）２０Ｕでの振幅調整後は、所望信号成分が、−ｆｓ／８≦ｆ≦ｆｓ／８において、そのままであるのに対して、−３ｆｓ／１６≦ｆ≦−ｆｓ／８、ｆｓ／８≦ｆ≦３ｆｓ／１６において、１／Ａ倍（１／Ａ＞１）に増大される。ＢＢＵ１側のデマッピング部１６Ｕでのデマッピング後は、折り返し信号成分は除去される。
【００９０】
つまり、ＢＢＵ１での振幅調整後は、所望信号成分が、−３ｆｓ／１６≦ｆ≦３ｆｓ／１６において、一様な重みで周波数軸上に分布する。そして、ＢＢＵ１での振幅調整後において、ＲＲＵ２でのＡ／Ｄ変換後と比べて、所望信号成分の周波数分布は元の通りに戻っている。このように、フィルタリング遷移域での所望信号成分について、不要信号成分除去部（上り）２４Ｕでの振幅の抑圧（Ａ倍）と、振幅調整部（上り）２０Ｕでの振幅の増大（１／Ａ倍）が、Ａ×１／Ａ＝１で示すように相殺されている。
【００９１】
（実施形態３）
実施形態３では、ＢＢＵ１からＲＲＵ２への下りリンクについて、不要信号成分除去部（下り）２４Ｄのフィルタリング処理による遅延、及び、圧縮部（下り）１６Ｄのデシメーション処理による遅延を低減する。圧縮部（下り）１６Ｄは、サンプリング周波数を低減させるにあたり、折り返し信号成分が所望信号成分に与える影響を低減するため、帯域制限処理を行ないながらデータを一定間隔で間引くデシメーションフィルタにより構成することができる。
【００９２】
実施形態３のＢＢＵの構成を図７に示す。実施形態３のＲＲＵの構成ブロックは、従来のＲＲＵの構成ブロックと同様であり、図２に示されている。以下では、実施形態３のＢＢＵ１及びＲＲＵ２が、従来のＢＢＵ１及びＲＲＵ２と異なる点について、説明する。
【００９３】
不要信号成分除去部（下り）２４Ｄは、実施形態１、３において同様である。圧縮部（下り）１６Ｄは、ＢＢＵ１−ＲＲＵ２間での通信におけるサンプリング周波数を、ＢＢＵ１でのＡ／Ｄ変換におけるサンプリング周波数より低減する。そして、圧縮部（下り）１６Ｄは、時間領域上のデシメーション処理を行なうにあたり、所望信号成分の周波数領域の一部においてデシメーション遷移域を有する。ここで、圧縮部（下り）１６Ｄは、時間領域上の処理として、図３に示したような処理を行なう。
【００９４】
振幅調整部（下り）２０Ｄは、フィルタリング遷移域及びデシメーション遷移域における所望信号成分の振幅の抑圧を相殺するように、フィルタリング遷移域及びデシメーション遷移域における所望信号成分の振幅を調整する。ここで、振幅調整部（下り）２０Ｄは、周波数領域上の処理として、図４に示したような処理を行なう。そして、振幅調整部（下り）２０Ｄは、フィルタリング遷移域及びデシメーション領域について、情報を記憶している情報記憶部（不図示）を有していてもよい。不要信号成分の周波数軸上分布の時間変化に応じて、フィルタリング遷移域及び振幅調整幅も時間変化させてもよい。
【００９５】
実施形態３の下りリンクの処理を図１０及び図１１に示す。ＢＢＵ１側のＡ／Ｄ変換部（不図示）のサンプリング周波数はｆｓであり、ＢＢＵ１側の圧縮部（下り）１６Ｄのサンプリング周波数はｆｓ／２であり、ＲＲＵ２側での伸長部（下り）２３Ｄのサンプリング周波数はｆｓである。ＢＢＵ１−ＲＲＵ２間では、それ以外の区間より、送信情報量が１／２となる。ここで、圧縮部（下り）１６Ｄは、デシメーションフィルタである。
【００９６】
ＢＢＵ１側のマッピング部１３Ｄでのマッピング後は、所望信号成分が、−３ｆｓ／１６≦ｆ≦３ｆｓ／１６において、一様な重みで周波数軸上に分布する。
【００９７】
ＢＢＵ１側の圧縮部（下り）１６Ｄは、デシメーション処理において、−ｆｓ／８≦ｆ≦ｆｓ／８において、通過域を有し、−ｆｓ／４≦ｆ≦−ｆｓ／８、ｆｓ／８≦ｆ≦ｆｓ／４において、遷移域を有し、それら以外の区間において、阻止域を有する。
【００９８】
ＲＲＵ２側の不要信号成分除去部（下り）２４Ｄは、フィルタリング処理において、−ｆｓ／８≦ｆ≦ｆｓ／８において、通過域を有し、−ｆｓ／４≦ｆ≦−ｆｓ／８、ｆｓ／８≦ｆ≦ｆｓ／４において、遷移域を有し、それら以外の区間において、阻止域を有する。
【００９９】
つまり、所望信号成分は、−ｆｓ／８≦ｆ≦ｆｓ／８において、デシメーション処理の通過域及びフィルタリング処理の通過域に属するが、−３ｆｓ／１６≦ｆ≦−ｆｓ／８、ｆｓ／８≦ｆ≦３ｆｓ／１６において、デシメーション領域の遷移域及びフィルタリング処理の遷移域に属する。
【０１００】
ここで、ＢＢＵ１側の圧縮部（下り）１６Ｄは、デシメーション処理の遷移域のうち、−３ｆｓ／１６≦ｆ≦−ｆｓ／８、ｆｓ／８≦ｆ≦３ｆｓ／１６において、電気信号をＢ倍（Ｂ＜１）に抑圧すると仮定する。そして、ＲＲＵ２側の不要信号成分除去部（下り）２４Ｄは、フィルタリング処理の遷移域のうち、−３ｆｓ／１６≦ｆ≦−ｆｓ／８、ｆｓ／８≦ｆ≦３ｆｓ／１６において、電気信号をＡ倍（Ａ＜１）に抑圧すると仮定する。
【０１０１】
ＢＢＵ１側の振幅調整部（下り）２０Ｄでの振幅調整後は、所望信号成分が、−ｆｓ／８≦ｆ≦ｆｓ／８において、そのままであるのに対して、−３ｆｓ／１６≦ｆ≦−ｆｓ／８、ｆｓ／８≦ｆ≦３ｆｓ／１６において、１／（Ａ×Ｂ）倍（１／（Ａ×Ｂ）＞１）に増大される。
【０１０２】
ＢＢＵ１側の圧縮部（下り）１６Ｄでのデシメーション後は、所望信号成分が、−ｆｓ／８≦ｆ≦ｆｓ／８において、そのままであるのに対して、−３ｆｓ／１６≦ｆ≦−ｆｓ／８、ｆｓ／８≦ｆ≦３ｆｓ／１６において、Ｂ倍（Ｂ＜１）に抑圧される。
【０１０３】
つまり、ＢＢＵ１でのデシメーション後において、ＢＢＵ１でのマッピング後と比べて、所望信号成分が、−３ｆｓ／１６≦ｆ≦−ｆｓ／８、ｆｓ／８≦ｆ≦３ｆｓ／１６において、１／（Ａ×Ｂ）×Ｂ＝１／Ａ倍（１／Ａ＞１）に増大されている。
【０１０４】
ＲＲＵ２側の伸長部（下り）２３Ｄでの伸長後は、所望信号成分が、−３ｆｓ／１６≦ｆ≦−ｆｓ／８、ｆｓ／８≦ｆ≦３ｆｓ／１６において、−ｆｓ／８≦ｆ≦ｆｓ／８と比べて、１／Ａ倍（１／Ａ＞１）に増大されたままであるとともに、ＢＢＵ１側の圧縮部（下り）１６Ｄによる所望信号成分に対する折り返し信号成分が、−ｆｓ／２≦ｆ≦−５ｆｓ／１６、５ｆｓ／１６≦ｆ≦ｆｓ／２において、周波数軸上に分布する。
【０１０５】
ＲＲＵ２側の不要信号成分除去部（下り）２４Ｄでの不要信号成分除去後は、所望信号成分が、−ｆｓ／８≦ｆ≦ｆｓ／８において、そのままであるのに対して、−３ｆｓ／１６≦ｆ≦−ｆｓ／８、ｆｓ／８≦ｆ≦３ｆｓ／１６において、Ａ倍（Ａ＜１）に抑圧される。
【０１０６】
つまり、ＲＲＵ２での不要信号成分除去後は、所望信号成分が、−３ｆｓ／１６≦ｆ≦３ｆｓ／１６において、一様な重みで周波数軸上に分布する。そして、ＲＲＵ２での不要信号成分除去後において、ＢＢＵ１でのマッピング後と比べて、所望信号成分の周波数分布は元の通りに戻っている。
【０１０７】
このように、デシメーション遷移域及びフィルタリング遷移域での所望信号成分について、圧縮部（下り）１６Ｄでの振幅の抑圧（Ｂ倍）と、不要信号成分除去部（下り）２４Ｄでの振幅の抑圧（Ａ倍）と、振幅調整部（下り）２０Ｄでの振幅の増大（１／（Ａ×Ｂ）倍）が、Ａ×Ｂ×１／（Ａ×Ｂ）＝１で示すように相殺されている。
【０１０８】
（実施形態４）
実施形態４では、ＲＲＵ２からＢＢＵ１への上りリンクについて、不要信号成分除去部（上り）２４Ｕのフィルタリング処理による遅延、及び、圧縮部（上り）２５Ｕのデシメーション処理による遅延を低減する。圧縮部（上り）２５Ｕは、サンプリング周波数を低減させるにあたり、折り返し信号成分が所望信号成分に与える影響を低減するため、帯域制限処理を行ないながらデータを一定間隔で間引くデシメーションフィルタにより構成することができる。
【０１０９】
実施形態４のＢＢＵの構成を図７に示す。実施形態４のＲＲＵの構成ブロックは、従来のＲＲＵの構成ブロックと同様であり、図２に示されている。以下では、実施形態４のＢＢＵ１及びＲＲＵ２が、従来のＢＢＵ１及びＲＲＵ２と異なる点について、説明する。
【０１１０】
不要信号成分除去部（上り）２４Ｕは、実施形態２、４において同様である。圧縮部（上り）２５Ｕは、ＢＢＵ１−ＲＲＵ２間での通信におけるサンプリング周波数を、ＲＲＵ２でのＡ／Ｄ変換におけるサンプリング周波数より低減する。そして、圧縮部（上り）２５Ｕは、時間領域上のデシメーション処理を行なうにあたり、所望信号成分の周波数領域の一部においてデシメーション遷移域を有する。ここで、圧縮部（上り）２５Ｕは、時間領域上の処理として、図３に示したような処理を行なう。
【０１１１】
振幅調整部（上り）２０Ｕは、フィルタリング遷移域及びデシメーション遷移域における所望信号成分の振幅の抑圧を相殺するように、フィルタリング遷移域及びデシメーション遷移域における所望信号成分の振幅を調整する。ここで、振幅調整部（上り）２０Ｕは、周波数領域上の処理として、図４に示したような処理を行なう。そして、振幅調整部（上り）２０Ｕは、フィルタリング遷移域及びデシメーション遷移域について、情報を記憶している情報記憶部（不図示）を有していてもよい。干渉信号成分の周波数軸上分布の時間変化に応じて、フィルタリング遷移域及び振幅調整幅も時間変化させてもよい。
【０１１２】
実施形態４の上りリンクの処理を図１２及び図１３に示す。ＲＲＵ２側のＡ／Ｄ変換部２３Ｕのサンプリング周波数はｆｓであり、ＲＲＵ２側の圧縮部（上り）２５Ｕのサンプリング周波数はｆｓ／２であり、ＢＢＵ１側での伸長部（上り）１３Ｕのサンプリング周波数はｆｓである。ＢＢＵ１−ＲＲＵ２間では、それ以外の区間より、送信情報量が１／２となる。ここで、圧縮部（上り）２５Ｕは、デシメーションフィルタである。
【０１１３】
ＲＲＵ２側のＡ／Ｄ変換部２３ＵでのＡ／Ｄ変換後は、所望信号成分が、−３ｆｓ／１６≦ｆ≦３ｆｓ／１６において、一様な重みで周波数軸上に分布するとともに、他セルからの干渉信号成分が、−ｆｓ／２≦ｆ≦−３ｆｓ／８、５ｆｓ／１６≦ｆ≦ｆｓ／２において、所望信号成分より弱いながらも、周波数軸上に分布する。
【０１１４】
ＲＲＵ２側の不要信号成分除去部（上り）２４Ｕは、フィルタリング処理において、−ｆｓ／８≦ｆ≦ｆｓ／８において、通過域を有し、−ｆｓ／４≦ｆ≦−ｆｓ／８、ｆｓ／８≦ｆ≦ｆｓ／４において、遷移域を有し、それら以外の区間において、阻止域を有する。
【０１１５】
ＲＲＵ２側の圧縮部（上り）２５Ｕは、デシメーション処理において、−ｆｓ／８≦ｆ≦ｆｓ／８において、通過域を有し、−ｆｓ／４≦ｆ≦−ｆｓ／８、ｆｓ／８≦ｆ≦ｆｓ／４において、遷移域を有し、それら以外の区間において、阻止域を有する。
【０１１６】
つまり、所望信号成分は、−ｆｓ／８≦ｆ≦ｆｓ／８において、フィルタリング処理の通過域及びデシメーション処理の通過域に属するが、−３ｆｓ／１６≦ｆ≦−ｆｓ／８、ｆｓ／８≦ｆ≦３ｆｓ／１６において、フィルタリング処理の遷移域及びデシメーション処理の遷移域に属する。
【０１１７】
ここで、ＲＲＵ２側の不要信号成分除去部（上り）２４Ｕは、フィルタリング処理の遷移域のうち、−３ｆｓ／１６≦ｆ≦−ｆｓ／８、ｆｓ／８≦ｆ≦３ｆｓ／１６において、電気信号をＡ倍（Ａ＜１）に抑圧すると仮定する。そして、ＲＲＵ２側の圧縮部（上り）２５Ｕは、デシメーション処理の遷移域のうち、−３ｆｓ／１６≦ｆ≦−ｆｓ／８、ｆｓ／８≦ｆ≦３ｆｓ／１６において、電気信号をＢ倍（Ｂ＜１）に抑圧すると仮定する。
【０１１８】
ＲＲＵ２側の不要信号成分除去部（上り）２４Ｕでの不要信号成分除去後は、所望信号成分が、−ｆｓ／８≦ｆ≦ｆｓ／８において、そのままであるのに対して、−３ｆｓ／１６≦ｆ≦−ｆｓ／８、ｆｓ／８≦ｆ≦３ｆｓ／１６において、Ａ倍（Ａ＜１）に抑圧される。
【０１１９】
ＲＲＵ２側の圧縮部（上り）２５Ｕでのデシメーション後は、所望信号成分が、−ｆｓ／８≦ｆ≦ｆｓ／８において、そのままであるのに対して、−３ｆｓ／１６≦ｆ≦−ｆｓ／８、ｆｓ／８≦ｆ≦３ｆｓ／１６において、Ｂ倍（Ｂ＜１）に抑圧される。
【０１２０】
つまり、ＲＲＵ２でのデシメーション後において、ＲＲＵ２でのＡ／Ｄ変換後と比べて、所望信号成分が、−３ｆｓ／１６≦ｆ≦−ｆｓ／８、ｆｓ／８≦ｆ≦３ｆｓ／１６において、（Ａ×Ｂ）倍（Ａ×Ｂ＜１）に抑圧されている。
【０１２１】
ＢＢＵ１側の伸長部（上り）１３Ｕでの伸長後は、所望信号成分が、−３ｆｓ／１６≦ｆ≦−ｆｓ／８、ｆｓ／８≦ｆ≦３ｆｓ／１６において、−ｆｓ／８≦ｆ≦ｆｓ／８と比べて、（Ａ×Ｂ）倍（Ａ×Ｂ＜１）に抑圧されたままであるとともに、ＲＲＵ２側の圧縮部（上り）２５Ｕによる所望信号成分に対する折り返し信号成分が、−ｆｓ／２≦ｆ≦−５ｆｓ／１６、５ｆｓ／１６≦ｆ≦ｆｓ／２において、周波数軸上に分布する。
【０１２２】
ＢＢＵ１側の振幅調整部（上り）２０Ｕでの振幅調整後は、所望信号成分が、−ｆｓ／８≦ｆ≦ｆｓ／８において、そのままであるのに対して、−３ｆｓ／１６≦ｆ≦−ｆｓ／８、ｆｓ／８≦ｆ≦３ｆｓ／１６において、１／（Ａ×Ｂ）倍（１／（Ａ×Ｂ）＞１）に増大される。ＢＢＵ１側のデマッピング部１６Ｕでのデマッピング後は、折り返し信号成分は除去される。
【０１２３】
つまり、ＢＢＵ１での振幅調整後は、所望信号成分が、−３ｆｓ／１６≦ｆ≦３ｆｓ／１６において、一様な重みで周波数軸上に分布する。そして、ＢＢＵ１での振幅調整後において、ＲＲＵ２でのＡ／Ｄ変換後と比べて、所望信号成分の周波数分布は元の通りに戻っている。
【０１２４】
このように、フィルタリング遷移域及びデシメーション遷移域での所望信号成分について、不要信号成分除去部（上り）２４Ｕでの振幅の抑圧（Ａ倍）と、圧縮部（上り）２５Ｕでの振幅の抑圧（Ｂ倍）と、振幅調整部（上り）２０Ｕでの振幅の増大（１／（Ａ×Ｂ）倍）が、Ａ×Ｂ×１／（Ａ×Ｂ）＝１で示すように相殺されている。
【産業上の利用可能性】
【０１２５】
本発明の基地局システム、基地局通信方法及びベースバンドユニットは、基地局の機能をＢＢＵ及びＲＲＵに分割して物理的に離れた構成とするセルラーシステムにおいて、不要信号成分除去部及び圧縮部等のフィルタリング処理による遅延を低減することにより、ＢＢＵ−ＲＲＵ間で許容される光ファイバ長を増大させるのに適用することができる。
【０１２６】
本発明の基地局システム、基地局通信方法及びベースバンドユニットは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）伝送時やＤＦＴ−Ｓｐｒｅａｄ  ＯＦＤＭ伝送時に、適用することができる。
【０１２７】
また、本発明は、ＦＩＲ（Ｆｉｎｉｔｅ  Ｉｍｐｕｌｓｅ  Ｒｅｓｐｏｎｃｅ）フィルタだけでなく、ＩＩＲ（Ｉｎｆｉｎｉｔｅ  Ｉｍｐｕｌｓｅ  Ｒｅｓｐｏｎｃｅ）フィルタを用いる場合にも適用することができる。
【符号の説明】
【０１２８】
１：ＢＢＵ
２：ＲＲＵ
３：光ファイバ
１１Ｄ：ＦＥＣ符号化部
１２Ｄ：変調部
１３Ｄ：マッピング部
１４Ｄ：時間領域変換部
１５Ｄ：ＣＰ付加部
１６Ｄ：圧縮部（下り）
１７Ｄ：フレーム変換部
１８Ｄ：Ｅ／Ｏ変換部
１１Ｕ：Ｏ／Ｅ変換部
１２Ｕ：フレーム変換部
１３Ｕ：伸長部（上り）
１４Ｕ：ＣＰ除去部
１５Ｕ：周波数領域変換部
１６Ｕ：デマッピング部
１７Ｕ：復調部
１８Ｕ：ＦＥＣ復号化部
１９：圧縮／伸長制御部
２０Ｄ：振幅調整部（下り）
２０Ｕ：振幅調整部（上り）
２１Ｄ：Ｏ／Ｅ変換部
２２Ｄ：フレーム変換部
２３Ｄ：伸長部（下り）
２４Ｄ：不要信号成分除去部（下り）
２５Ｄ：Ｄ／Ａ変換部
２６Ｄ：アップコンバート部
２７Ｄ：増幅器
２１Ｕ：増幅器
２２Ｕ：ダウンコンバート部
２３Ｕ：Ａ／Ｄ変換部
２４Ｕ：不要成分信号除去部（上り）
２５Ｕ：圧縮部（上り）
２６Ｕ：フレーム変換部
２７Ｕ：Ｅ／Ｏ変換部
２８：送受切替部
２９：アンテナ
３０Ｄ：伸長情報（下り）抽出部
３０Ｕ：圧縮情報（上り）抽出部
【図１】
2014204218.tif 000003
【図２】
2014204218.tif 000004
【図３】
2014204218.tif 000005
【図４】
2014204218.tif 000006
【図５】
2014204218.tif 000007
【図６】
2014204218.tif 000008
【図７】
2014204218.tif 000009
【図８】
2014204218.tif 000010
【図９】
2014204218.tif 000011
【図１０】
2014204218.tif 000012
【図１１】
2014204218.tif 000013
【図１２】
2014204218.tif 000014
【図１３】
2014204218.tif 000015